(57)【要約】本発明に係る呼び出し方法は各ゲートキーパ（ＧＫ）のエンドポイント装置毎のＥ．１６４の別名をＧＫへ予め登録することと、発呼側エンドポイント装置が被呼側エンドポイント装置のＥ．１６４の別名により被呼側エンドポイント装置を呼び出すことを含む。Ｅ．１６４の別名はＩＰネットワークシステム内の一意的なゾーンプレフィックスとＧＫ内の一意的なエンドポイント装置番号とを含む。さらに、発呼側ＧＫが被呼側エンドポイント装置のＥ．１６４の別名からプレフィックスを抽出し、被呼側ＧＫに被呼側エンドポイント装置のＩＰアドレスの翻訳を要求することと、被呼側ＧＫが被呼側エンドポイント装置のＩＰアドレスを翻訳して発呼側ＧＫへ戻すことと、発呼側ＧＫが発呼側エンドポイント装置へＩＰアドレスを通知することと、発呼側エンドポイント装置がＩＰアドレスに従って被呼側エンドポイント装置へセットアップ信号を送信して呼を開始することを含む。
2005500786.tif 000002
【特許請求の範囲】
【請求項１】
ＩＰネットワークシステムにおいて複数のゾーンにわたるエンドポイント装置の呼び出し方法であって、
Ａ．上記ＩＰネットワークシステムにおける各ゲートキーパ（ＧＫ）に係る、Ｈ．３２３に準拠したすべてのエンドポイント装置のＥ．１６４に準拠した別名を、当該エンドポイント装置に固有のＧＫに対して予め登録することを含み、上記Ｅ．１６４に準拠した別名は、上記ＩＰネットワークシステムにおける一意的なゾーンプレフィックスと、上記エンドポイント装置に固有のＧＫにおける上記エンドポイント装置の一意的な番号とを備え、
Ｂ．Ｈ．３２３に準拠した発呼側エンドポイント装置が、Ｈ．３２３に準拠した被呼側エンドポイント装置のＥ．１６４に準拠した別名を使用して上記被呼側エンドポイント装置を直接に呼び出すことを含む呼び出し方法。
【請求項２】
上記ステップＢはさらに、
ａ．上記発呼側エンドポイント装置のＧＫが、上記発呼側エンドポイント装置からＡＲＱ（アドミッション要求）信号を受信することと、
ｂ．上記発呼側エンドポイント装置のＧＫが、上記Ｈ．３２３に準拠した被呼側エンドポイント装置のＥ．１６４に準拠した別名からプレフィックスを抽出し、上記プレフィックスに対応する上記被呼側エンドポイント装置のＧＫのＩＰアドレスを検索し、次いで、上記ＩＰアドレスに従って上記被呼側エンドポイント装置のＧＫへＬＱＲ信号を送信し、上記Ｈ．３２３に準拠した被呼側エンドポイント装置のＩＰアドレスを翻訳するように要求することと、
ｃ．上記被呼側エンドポイント装置のＧＫが、上記Ｈ．３２３に準拠した被呼側エンドポイント装置のＥ．１６４に準拠した別名に従って上記Ｈ．３２３に準拠した被呼側エンドポイント装置のＩＰアドレスを翻訳し、ＬＣＦ信号により上記発呼側エンドポイント装置のＧＫに応答することと、
ｄ．上記発呼側エンドポイント装置のＧＫが、上記Ｈ．３２３に準拠した被呼側エンドポイント装置のＩＰアドレスをＡＣＦ信号によって上記Ｈ．３２３に準拠した発呼側エンドポイント装置へ通知することと、
ｆ．上記Ｈ．３２３に準拠した発呼側エンドポイント装置が、上記Ｈ．３２３に準拠した被呼側エンドポイント装置のＩＰアドレスに従って、上記Ｈ．３２３に準拠した被呼側エンドポイント装置に対して、Ｑ．９３１に準拠した発呼セットアップ信号を送信し、呼を開始することとを含む請求項１記載の呼び出し方法。
【発明の詳細な説明】
【技術分野】
【０００１】
本発明は、一般にＩＰネットワーク技術に関し、特に、ＩＰネットワークシステムにおいて呼に複数のゾーンを横断させる方法に関する。これは、ＩＰネットワーク上のＨ．３２３に準拠したすべてのエンドポイント装置に対して、一意的なＩＰの別名（又はエイリアス）を設定することに関する技術である。
【背景技術】
【０００２】
Ｈ．３２３プロトコルは、主としてマルチメディア会議システムにおいて使用されたものであり、現在ではＩＰによる電話方式に広く使用されている。Ｈ．３２３に準拠したシステムは、パケットネットワークのためのマルチメディア通信サービスを提供する。パケットネットワークは、ローカルエリアネットワーク（ＬＡＮ）、企業ネットワーク及び大都市圏ネットワークなどを含むが、これは、保証されたサービス品質を提供するものではない。Ｈ．３２３に準拠したシステムは、端末、ゲートウェイ、多地点制御装置（ＭＣＵ）及びゲートキーパ（ＧＫ）などを備える。Ｈ．３２３に準拠したエンドポイント装置は、端末、ゲートウェイ又はＭＣＵを含む。Ｈ．３２３に準拠したエンドポイント装置は、その固有のＧＫに対して登録し、ＧＫによって提供されるサービスを受ける。
【０００３】
Ｈ．３２３に準拠したシステムにおいてＧＫによって提供される主要なサービスの１つはアドレス解決であるが、これは、エンドポイント装置の別名（又はエイリアス）をエンドポイント装置のＩＰアドレスに翻訳することを含む。エンドポイント装置の別名は、Ｅ．１６４に準拠した電話番号、Ｈ．３２３に準拠したＩＤ、ＵＲＬ及び電子メールなどを含み、これらの別名は、エンドポイント装置からの、Ｈ．２２５に準拠したＲＡＳプロトコルのＲＲＱ信号を用いてＧＫに登録される。Ｈ．３２３に準拠したシステムでは、多数のＧＫゾーンが存在する場合がある。ＧＫゾーン毎に、１つ又はいくつかのＧＫとＨ．３２３に準拠した複数のエンドポイント装置の集合とが含まれ、Ｈ．３２３に準拠した各エンドポイント装置はその固有のＧＫに対してそれぞれ登録する。
【発明の開示】
【発明が解決しようとする課題】
【０００４】
現在の標準的なプロトコルでは、１つのＧＫゾーン内の、Ｈ．３２３に準拠した各エンドポイント装置の別名は一意的でなければならないが、異なるＧＫゾーンにおけるエンドポイント装置の別名はこの制限を持たない。従って、異なるＧＫゾーンにおける異なるエンドポイント装置が同じ別名を有する可能性がある。このことは、複数のＧＫゾーンにわたってあるエンドポイント装置を呼び出しかつアドレス指定する際に困難をもたらす。
【０００５】
図１は、２つのＧＫゾーン、すなわちＧＫ１によって管理されるゾーン１とＧＫ２によって管理されるゾーン２とを有する、Ｈ．３２３に準拠したシステムのネットワーキングを示す。これらの２つのゾーン間にはエンドポイント装置の別名が繰り返されて存在し、ゾーン１には、別名１２３４５６、１２３１２３及び１２３７８９をそれぞれ有し、Ｈ．３２３に準拠した３つのエンドポイント装置が存在し、ゾーン２にも、同じ別名１２３４５６、１２３１２３及び１２３７８９をそれぞれ有し、Ｈ．３２３に準拠した３つのエンドポイント装置が存在する。この場合、同じゾーンに存在するエンドポイント装置のＩＰアドレスはそのエンドポイント装置が位置づけられるＧＫのアドレス解決サービスによって互いに取得されることが可能であるが、異なるゾーンに存在するエンドポイント装置間では、同じ別名を有するエンドポイント装置のＩＰアドレスを翻訳する方法が存在しない。
【０００６】
例えば、ゾーン１のエンドポイント装置１２３４５６がゾーン２のエンドポイント装置１２３１２３に対して発呼すると仮定した場合、ＧＫ１は、ゾーン１の中でだけは被呼側エンドポイント装置１２３１２３をＩＰアドレスに翻訳してそのＩＰアドレスを発呼側エンドポイント装置１２３４５６へ戻すことができるが、ゾーン２における被呼側エンドポイント装置の別名１２３１２３のＩＰアドレスを翻訳して発呼側エンドポイント装置の別名１２３４５６へ戻すことはできない。
【０００７】
Ｈ．３２３に準拠したエンドポイント装置の別名に関する上記構成方法の優位点は、各ＧＫゾーン内のすべてのエンドポイント装置の別名を命名する際に制限が存在しないということにある。しかしながら、Ｈ．３２３に準拠した複数のシステム間の別名に対する同一の構成方法が存在しないので、ＧＫは、当該ＧＫ自体のゾーンにおけるエンドポイント装置のＩＰアドレスだけを翻訳できるが、他のゾーンにおけるエンドポイント装置のＩＰアドレスは翻訳できない。この原因は、ネットワーク全体におけるすべてのエンドポイント装置の一意的な別名を保証する技術が存在しないことにある。
【０００８】
現時点では、ＩＰネットワーク上のビデオ通信の開発とＩＰネットワークシステムにおけるＨ．３２３に準拠したエンドポイント装置の増加とともに、Ｈ．３２３に準拠したエンドポイント装置の一意的なＩＰの別名に関する問題はますます大きくなってきている。
【課題を解決するための手段】
【０００９】
本発明の目的は、ＩＰネットワークシステムにおいて複数のゾーンにわたるエンドポイント装置の呼び出し方法を設計することにある。エンドポイント装置の別名を命名する同一の方法を用いることにより、Ｈ．３２３に準拠したすべてのエンドポイント装置の別名は本ネットワークシステムにおいて一意的になり、それにより、異なるＧＫゾーンにおける任意のエンドポイント装置間の、複数のゾーンにわたる呼び出し及びアドレス指定は、ＩＰネットワーク上で便利に実行されることが可能である。
【００１０】
本発明の技術的な枠組みは下記の通りである。すなわち、ＩＰネットワークシステムにおいて複数のゾーンにわたるエンドポイント装置の呼び出し方法であって、当該呼び出し方法は、
Ａ．ＩＰネットワークシステムにおける各ゲートキーパ（ＧＫ）に係る、Ｈ．３２３に準拠したすべてのエンドポイント装置のＥ．１６４に準拠した別名を、当該エンドポイント装置に固有のＧＫに対して予め登録するステップを含み、上記Ｅ．１６４に準拠した別名は、ＩＰネットワークシステムにおける一意的なゾーンプレフィックスと、上記エンドポイント装置に固有のＧＫにおける上記エンドポイント装置の一意的な番号とを備え、
Ｂ．Ｈ．３２３に準拠した発呼側エンドポイント装置が、Ｈ．３２３に準拠した被呼側エンドポイント装置のＥ．１６４に準拠した別名を用いて上記被呼側エンドポイント装置を直接に呼び出すステップを含むことを特徴とする。
【００１１】
上記ステップＢはさらに、
ａ．上記発呼側エンドポイント装置のＧＫが、上記発呼側エンドポイント装置からＡＲＱ（アドミッション要求）信号を受信することと、
ｂ．上記発呼側エンドポイント装置のＧＫが、上記Ｈ．３２３に準拠した被呼側エンドポイント装置のＥ．１６４に準拠した別名におけるプレフィックスを抽出し、上記プレフィックスに対応する上記被呼側エンドポイント装置のＧＫのＩＰアドレスを検索し、次いで、上記ＩＰアドレスに従って上記被呼側エンドポイント装置のＧＫへＬＱＲ信号を送信して、上記Ｈ．３２３に準拠した被呼側エンドポイント装置のＩＰアドレスを翻訳するように要求することと、
ｃ．上記被呼側エンドポイント装置のＧＫが、上記Ｈ．３２３に準拠した被呼側エンドポイント装置のＥ．１６４に準拠した別名に従って上記Ｈ．３２３に準拠した被呼側エンドポイント装置のＩＰアドレスを翻訳し、ＬＣＦ信号により上記発呼側エンドポイント装置のＧＫに応答することと、
ｄ．上記発呼側エンドポイント装置のＧＫが、上記Ｈ．３２３に準拠した被呼側エンドポイント装置のＩＰアドレスをＡＣＦ信号によって上記Ｈ．３２３に準拠した発呼側エンドポイント装置に通知することと、
ｆ．上記Ｈ．３２３に準拠した発呼側エンドポイント装置が、上記Ｈ．３２３に準拠した被呼側エンドポイント装置のＩＰアドレスに従って、上記Ｈ．３２３に準拠した被呼側エンドポイント装置に対して、Ｑ．９３１に準拠した発呼セットアップ信号を送信して、呼を開始することとを含む。
【発明の効果】
【００１２】
本発明は、ＩＰネットワークシステムにおけるＧＫゾーン毎にエンドポイント装置の別名のプレフィックスを形成する一意的な番号を定義することを必要とし、かつ、すべてのＧＫゾーン内の各エンドポイント装置の一意的な番号によりエンドポイント装置の別名のエンドポイント装置番号を形成し、次いで、「上記ＧＫゾーンに対するプレフィックス＋エンドポイント装置番号」を構成して、予め定義される（予め登録される）エンドポイント装置のＥ．１６４に準拠した別名を形成する。
【００１３】
既存の技術に比較すると、本発明は、ネットワーク全体におけるエンドポイント装置の別名の一意性に関する問題を解決する。ゆえに、ネットワーク全体におけるどのＧＫも、ＩＰネットワーク上の任意のエンドポイント装置のＩＰアドレスを、別名に従って翻訳することができる。このようにして、複数のゾーンにわたる呼び出しは便利に実施されることが可能である。
【発明を実施するための最良の形態】
【００１４】
図面を参照して、本発明をより詳細に説明する。
【００１５】
エンドポイント装置を一意的な別名で命名するという主要な考案は、下記の通りである。すなわち、まず、すべてのゾーンにおける各エンドポイント装置は、当該ゾーンにおける一意的な別名としてのＥ．１６４に準拠した１つの番号により命名される、すなわち、エンドポイント装置毎に予め定義された、Ｅ．１６４に準拠した番号が、当該エンドポイント装置を管理するＧＫに登録される。次に、上記Ｅ．１６４に準拠した番号は、ネットワークシステムにおける各ＧＫゾーンの一意的なゾーン番号と結合されて、一意的なエンドポイント装置の別名が形成される。この一意的な別名により、複数のゾーンにわたるアドレス指定及び呼び出しが実施される。
【００１６】
図２には３つのＧＫゾーンが存在し、各ゾーンは、エンドポイント装置の命名のためのプレフィックスとして一意的な番号を有する。ＩＰネットワークシステム全体において、どのＧＫゾーンのプレフィックスも反復されることはない。例えば、ゾーン１のＧＫゾーンプレフィックスは０７５５であり、ゾーン２のＧＫゾーンプレフィックスは０１０であり、ゾーン３のＧＫゾーンプレフィックスは０２１である。
【００１７】
１つのＧＫゾーンでは、そのゾーン内の全エンドポイント装置のＥ．１６４に準拠した番号は反復されないが、異なる複数のゾーンではエンドポイント装置のＥ．１６４に準拠した番号が同一となる可能性があり、例えば、ゾーン１、ゾーン２及びゾーン３内に、Ｅ．１６４に準拠した同一の番号１２３４５６、１２３１２３及び１２３７８９が存在する。
【００１８】
本発明においては、すべてのＧＫゾーン内の各エンドポイント装置の別名は「ＧＫゾーンプレフィックス」＋「エンドポイント装置のＥ．１６４に準拠した番号」を備える。例えば、ゾーン１における３つのエンドポイント装置の別名は０７５５１２３４５６、０７５５１２３１２３及び０７５５１２３７８９であり、ゾーン２における３つのエンドポイント装置の別名は０１０１２３４５６、０１０１２３１２３及び０１０１２３７８９であり、ゾーン３における３つのエンドポイント装置の別名は０２１１２３４５６、０２１１２３１２３及び０２１１２３７８９である。この命名方法により、ネットワーク全体におけるあらゆるエンドポイント装置の別名は一意的になる。
【００１９】
すべてのエンドポイント装置の別名はＧＫによって予め定義されるので、登録は、指定された別名に従って実行される必要がある。このことは、エンドポイント装置の別名の一意性を保証する。
【００２０】
本発明は、エンドポイント装置の別名の一意性に関する問題を解決しており、これにより、複数のゾーンにわたる呼び出しを実施するための技術的な基礎が設定される。
【００２１】
図３及び図２を参照すると、別名０７５５１２３４５６を有するエンドポイント装置Ａが、別名０１０１２３１２３を有するエンドポイント装置Ｂに対して発呼すると仮定した場合に、呼び出し手順は下記のようになる。
【００２２】
ステップ１において、エンドポイント装置Ａ（０７５５１２３４５６）は、ＧＫ１へＡＲＱ（アドミッション要求）信号を送信する。
ステップ２において、ＧＫ１は、受信されたＡＲＱ信号から被呼側エンドポイント装置の別名のプレフィックス０１０を抽出し、抽出されたプレフィックスにより、被呼側エンドポイント装置ＢがＧＫ２ゾーンに位置づけられていることを認識し（すなわちＧＫ１は被呼側のＧＫ２のＩＰアドレスを取得し）、次いでＧＫ１はＧＫ２へ被呼側エンドポイント装置の別名０１０１２３１２３を有するＬＲＱ（ロケーション要求）信号を送信してエンドポイント装置ＢのＩＰアドレスを翻訳するように要求する。
ステップ３において、ＧＫ２は、ＬＲＱ信号を受信した後に被呼側エンドポイント装置の別名０１０１２３１２３に従ってエンドポイント装置ＢのＩＰアドレスを翻訳し、ＧＫ１にエンドポイント装置ＢのＩＰアドレスを有するＬＣＦ信号で応答する。
ステップ４において、ＧＫ１は、ＬＣＦ信号を受信した後にエンドポイント装置Ａにエンドポイント装置ＢのＩＰアドレスを有するＡＣＦ信号で応答する。
ステップ５において、エンドポイント装置Ａは、エンドポイント装置ＢのＩＰアドレスに従って、エンドポイント装置Ｂに対して、Ｑ．９３１に準拠した発呼セットアップ信号を送信して呼を開始する。
ステップ６において、本手順は呼設定受付（call proceeding）に進む。
【００２３】
本発明は、Ｅ．１６４に準拠した別名により、ＩＰネットワークシステムにおけるすべてのエンドポイント装置の別名に対して同じ命名方法を使用する。この方法では、複数のゾーンを横断するエンドポイント装置のアドレス指定及び呼び出しの実施が簡単化されかつ便利になる。試験の結果、本方法が実現可能でありかつ高い信頼性を有することがわかっている。
【図面の簡単な説明】
【００２４】
【図１】従来技術における複数のエンドポイント装置及び複数のゾーンを有する一般的なＨ．３２３に準拠したシステムを示す図である。
【図２】本発明に係る複数のエンドポイント装置及び複数のゾーンを有するＨ．３２３に準拠したシステムの一実施形態を示す図である。
【図３】他のゾーンを横断する呼の手順を示す図である。
【符号の説明】
【００２５】
Ａ，Ｂ…エンドポイント装置。
【図１】
2005500786.tif 000003
【図２】
2005500786.tif 000004
【図３】
2005500786.tif 000005
【国際公開パンフレット】
2005500786.tif 000006
2005500786.tif 000007
2005500786.tif 000008
2005500786.tif 000009
2005500786.tif 000010
2005500786.tif 000011
2005500786.tif 000012
2005500786.tif 000013
2005500786.tif 000014
2005500786.tif 000015
2005500786.tif 000016
【国際調査報告】
2005500786.tif 000017
2005500786.tif 000018
2005500786.tif 000019
2005500786.tif 000020